(57)【要約】【課題】本発明は、ターゲットデバイスに依存したターゲット色空間上の座標とデバイス非依存の測色色空間上の座標との対応を表わすターゲット色再現特性と、出力デバイスに依存した出力デバイス色空間上の座標と上記測色色空間上の座標との対応を表わす出力色再現特性との結合からなる色変換定義を修正する色変換定義修正装置等に関し、色変換定義を効率良く修正することのできる色変換定義修正装置等を提供することを目的とする。【解決手段】第１チャートデータを色変換定義に基づいて第２チャートデータに色変換し、この第２チャートデータを出力色再現特性に基づいて模擬測色データに変換し、第１チャートデータに基づいてターゲットデバイスによって出力されたカラーチャートのカラーパッチを測色して得られた第１測色データと模擬測色データとの差異に基づいて色変換定義を修正する。【選択図】        図９
2004242072.tif 000002
【特許請求の範囲】
【請求項１】
画像データに基づく画像を出力するターゲットデバイスに依存したターゲット色空間上の座標とデバイス非依存の測色色空間上の座標との対応を表わすターゲット色再現特性と、画像データに基づく画像を出力する出力デバイスに依存した出力デバイス色空間上の座標と前記測色色空間上の座標との対応を表わす出力色再現特性との結合からなる色変換定義を修正する色変換定義修正装置において、
複数のカラーパッチが配列されたカラーチャートを表わす、前記ターゲット色空間上の座標で色が定義された第１チャートデータに基づいて前記ターゲットデバイスによって出力されてなるカラーチャートのカラーパッチを測色することによって得られた、前記測色色空間上の座標で色が定義された第１測色データを取得する第１測色データ取得部と、
前記第１チャートデータを、前記色変換定義に基づいて、前記出力デバイス色空間上の座標で色が定義された第２チャートデータに変換する第１色変換部と、
前記第１色変換部で得られた第２チャートデータを、前記出力色再現特性に基づいて、前記測色色空間上の座標で色が定義された模擬測色データに変換する模擬色変換部と、
前記第１測色データ取得部で取得された第１測色データと、前記模擬色変換部で得られた模擬測色データとの差異に基づいて前記色変換定義を修正する色変換定義修正部とを備えたことを特徴とする色変換定義修正装置。
【請求項２】
前記第１チャートデータを、前記色変換定義が１回以上修正されてなる修正色変換定義に基づいて、前記出力デバイス色空間上の座標で色が定義された第３チャートデータに変換する第２色変換部と、
前記第２色変換部で得られた第３チャートデータに基づいて前記出力デバイスによって出力されてなるカラーチャートのカラーパッチを測色することによって得られた、前記測色色空間上の座標で色が定義された第２測色データを取得する第２測色データ取得部と、
前記第１測色データ取得部で取得された第１測色データと、前記第２測色データ取得部で取得された第２測色データとの差異に基づいて、前記修正色変換定義の再修正を行う色変換定義再修正部とを備えたことを特徴とする請求項１記載の色変換定義修正装置。
【請求項３】
前記第１測色データと前記第２測色データとの差異と、該差異に基づいて前記色変換定義再修正部によって再修正される前の修正色変換定義とを対応付けて保存する保存部と、
前記保存部によって保存された修正色変換定義のうち、前記差異が最小の修正色変換定義を選択する色変換定義選択部とを備えたことを特徴とする請求項２記載の色変換定義修正装置。
【請求項４】
画像データに基づく画像を出力するターゲットデバイスに依存したターゲット色空間上の座標とデバイス非依存の測色色空間上の座標との対応を表わすターゲット色再現特性と、画像データに基づく画像を出力する出力デバイスに依存した出力デバイス色空間上の座標と前記測色色空間上の座標との対応を表わす出力色再現特性との結合からなる色変換定義を修正する色変換定義修正装置において、
複数のカラーパッチが配列されたカラーチャートを表わす、前記ターゲット色空間上の座標で色が定義された第１チャートデータに基づいて前記ターゲットデバイスによって出力されてなるカラーチャートのカラーパッチを測色することによって得られた、前記測色色空間上の座標で色が定義された第１測色データを取得する第１測色データ取得部と、
前記第１チャートデータを、前記ターゲット色再現特性に基づいて、前記測色色空間上の座標で色が定義された模擬測色データに変換する模擬色変換部と、
前記第１測色データ取得部で取得された第１測色データと、前記模擬色変換部で得られた模擬測色データとの差異に基づいて前記ターゲット色再現特性を修正することによって前記色変換定義を修正する色変換定義修正部とを備えたことを特徴とする色変換定義修正装置。
【請求項５】
画像データに基づく画像を出力するターゲットデバイスに依存したターゲット色空間上の座標とデバイス非依存の測色色空間上の座標との対応を表わすターゲット色再現特性と、画像データに基づく画像を出力する出力デバイスに依存した出力デバイス色空間上の座標と前記測色色空間上の座標との対応を表わす出力色再現特性との結合からなる色変換定義を修正する色変換定義修正プログラムにおいて、
複数のカラーパッチが配列されたカラーチャートを表わす、前記ターゲット色空間上の座標で色が定義された第１チャートデータに基づいて前記ターゲットデバイスによって出力されてなるカラーチャートのカラーパッチを測色することによって得られた、前記測色色空間上の座標で色が定義された第１測色データを取得する第１測色データ取得部と、
前記第１チャートデータを、前記色変換定義に基づいて、前記出力デバイス色空間上の座標で色が定義された第２チャートデータに変換する第１色変換部と、
前記第１色変換部で得られた第２チャートデータを、前記出力色再現特性に基づいて、前記測色色空間上の座標で色が定義された模擬測色データに変換する模擬色変換部と、
前記第１測色データ取得部で取得された第１測色データと、前記模擬色変換部で得られた模擬測色データとの差異に基づいて前記色変換定義を修正する色変換定義修正部とを備えたことを特徴とする色変換定義修正プログラム。
【発明の詳細な説明】
【０００１】
【発明の属する技術分野】
本発明は、画像データに基づく画像を出力するターゲットデバイスに依存したターゲット色空間上の座標とデバイス非依存の測色色空間上の座標との対応を表わすターゲット色再現特性と、画像データに基づく画像を出力する出力デバイスに依存した出力デバイス色空間上の座標と上記測色色空間上の座標との対応を表わす出力色再現特性との結合からなる色変換定義を修正する色変換定義修正装置、およびコンピュータをそのような色変換定義修正装置として動作させる色変換定義修正プログラムに関する。
【０００２】
【従来の技術】
従来より、例えばカラースキャナや電子スチールカメラ等の入力デバイスで画像（ここでは原稿画像と称する）を取り込んで画像データを得、その画像データに基づいて今度は印刷機やプリンタやディスプレイ画面等の出力デバイスでその原稿画像を再生して再生画像を得ることが行われている。この場合、入力デバイスに応じた、原稿画像上の色と画像データにおける色表現とを対応付ける色再現特性（入力プロフィル）と、印刷機やプリンタ等の出力デバイスに応じた、画像データにおける色表現と再生画像上の色とを対応付ける色再現特性（出力プロファイル）とを求め、入力デバイスで原稿画像から得られた画像データを、それら双方の色再現特性（入力プロファイルおよび出力プロファイル）を合体させた１つの色変換定義（デバイスリンクプロファイル）に基づいて出力デバイスに適合した画像データに変換し、その出力デバイス用の画像データに基づいて再生画像を出力する。こうすることにより、もともとの原稿画像と色彩的に極力同一に似せた再生画像を得ることができる。
【０００３】
また、これと同様のことは、出力デバイスどうしの間でも成立する。次に、その例について説明する。
【０００４】
従来より、印刷機を用いたカラー画像の印刷を行うにあたっては、印刷を行う前に、カラープリンタ等を用いて、その印刷機で印刷される画像の色と極力同じ色に似せたプルーフ画像を作成することが行われている。プリンタでプルーフ画像を作成するにあたっては、印刷を行おうとしている印刷機の、例えばＣ（Ｃｙａｎ：シアン）、Ｍ（Ｍａｇｅｎｔａ：マゼンタ）、Ｙ（Ｙｅｌｌｏｗ：イエロー）、Ｋ（Ｂｌａｃｋ：黒）の各網％を表わす色データと、その色データに基づいて出力される実際の印刷物の色との対応を定義した色再現特性（印刷プロファイル）と、プルーフ画像を出力しようとしているプリンタの、例えばＣＭＹＫの各網％を表わす色データと、その色データに基づいて実際にプリント出力されるプルーフ画像の色との対応を定義した色再現特性（プリンタプロファイル）とを知り、これらの印刷プロファイルとプリンタプロファイルとを合体させた１つの色変換定義（デバイスリンクプロファイル）に基づいて印刷用の画像データをプリンタ用の画像データに変換し、この変換されたプリンタ用の画像データに基づいてプルーフ画像を作成する。こうすることにより、実際の印刷物と色彩的に極力同一に似せたプルーフ画像を作成することができる。
【０００５】
上記のようにして色を一致させた画像を得るためには、カラースキャナや電子スチールカメラなどといった入力デバイスの色再現特性（入力プロファイル）や、印刷機やプリンタなどといった出力デバイスの色再現特性（出力プロファイル）を正確に求める必要がある。
【０００６】
この色再現特性（プロファイル）を求めるにあたっては、例えば入力デバイスの場合は、カラーパッチが配列されたカラーチャートをその入力デバイスで読み取って画像データに変換し、入力デバイスに依存した、画像データ上の色空間（入力デバイス色空間；例えばＣ、Ｍ、Ｙ、およびＫの４色からなるＣＭＹＫ色空間、あるいはＲ（Ｒｅｄ：赤）、Ｇ（Ｇｒｅｅｎ：緑）、およびＢ（Ｂｌｕｅ：青）の３色からなるＲＧＢ色空間等）上の座標（ＣＭＹＫ値あるいはＲＧＢ値等）を求めるとともに、その同じカラーチャートを構成する各カラーパッチを分光測色計で測色してデバイス非依存の色空間（測色色空間；例えばＬ＊ａ＊ｂ＊色空間あるいはＸＹＺ色空間等）上の測色値（Ｌ＊ａ＊ｂ＊値あるいはＸＹＺ値等）を求め、それらターゲット色空間上の座標と測色色空間上の測色値とを対応付ける。
【０００７】
また、出力デバイスの色再現特性（出力プロファイル）を求めるにあたっては、例えばＣＭＹＫの４色それぞれについて網％を０％，１０％，……，１００％のように順次変化させた複数種類の色データそれぞれに対応するカラーパッチが配列されたカラーチャートに相当する画像データを作成し、その画像データに基づいて出力デバイスでカラーチャートを出力し、その出力されたカラーチャートを構成する各カラーパッチを分光測色計で測色し、そのようにして得た、出力デバイスに依存した、画像データ上の色空間（出力デバイス色空間）上の座標と、デバイス非依存の色空間（測色色空間）上の測色値とを対応付ける。
【０００８】
基本的にはこのようにして色再現特性（プロファイル）が求められるが、カラーチャートを構成するカラーパッチの数は色再現特性（プロファイル）の一点一点に対応するほど多数ではないため、上述したような対応関係は、色空間上かなり粗い、まばらな座標に対応する対応関係であり、色再現特性（プロファイル）としては粗すぎるものである。したがって上記のようにしてカラーチャートを構成する各カラーパッチを測色することにより得られた、デバイスに依存した、画像データ上の色空間（デバイス色空間）上の座標と、デバイス非依存の色空間（測色色空間）上の測色値との対応付けに基づいて、補間演算等により、デバイス色空間上の座標と測色色空間上の測色値との対応のペアの数を増やすことなどが行なわれ、最終的に所望の色変換定義（デバイスリンクプロファイル）が生成される。
【０００９】
ところが、上述したようにして入力デバイスや出力デバイスの色再現特性（プロファイル）を正確に求めても、分光測色計による測定誤差や、その色再現特性（プロファイル）を作成しようとしている対象のデバイスの特性（例えば出力色の位置依存性）に起因したカラーパッチの色誤差や、実用的なカラーマッチング精度を高めるために、肌色などといった特定の重要色のカラーパッチをカラーチャートを構成するカラーパッチとして追加することなどにより、作成した色再現特性（プロファイル）に歪みが生じ、その結果、最終的に得られる色変換定義（デバイスリンクプロファイル）に基づいて画像データを変換しても、印刷物とプルーフ画像との間の色が微妙に食い違うおそれがある。
【００１０】
ここで、上述した、印刷プロファイルとプリンタプロファイルとを合体させた１つの色変換定義（デバイスリンクプロファイル）に基づく色変換におけるカラーマッチングの精度を高めるためのデバイスリンクプロファイルの修正方法について説明する。
【００１１】
まず、印刷用のＣＭＹＫ４色の網％データに基づくカラーチャートを印刷機で出力し、このカラーチャートを構成する各カラーパッチを分光測色計で測色する。
【００１２】
次に、その印刷用のＣＭＹＫ４色の網％データを、デバイスリンクプロファイルを用いてプリンタ用のＣＭＹＫの画像データに変換し、プリンタにより、そのプリンタ用のＣＭＹＫの画像データに基づくカラーチャートをプリント出力する。このカラーチャートを構成する各カラーパッチを分光測色計で測色する。
【００１３】
そして、印刷機で出力されたカラーチャートを構成する各カラーパッチを測色して得られる測色値と、プリント出力されたカラーチャートを構成する各カラーパッチを測色して得られる測色値との色差に基づいてデバイスリンクプロファイルを修正することによって、実用的なカラーマッチング精度がより高められたデバイスリンクプロファイルが得られる（例えば、特許文献１参照）。
【００１４】
【特許文献１】
特開２０００−２７８５４７号公報
【００１５】
【発明が解決しようとする課題】
上述した特許文献１に提案された、デバイスリンクプロファイルを修正する方法によれば、分光測色計によって測色される測色値上の差異が修正されるため、デバイスリンクプロファイルの精度が上げられ、実際の印刷物と色の一致したプルーフ画像を作成することができる。
【００１６】
この特許文献１に提案された、デバイスリンクプロファイルを修正する方法によれば、デバイスリンクプロファイルの修正を繰り返すことで、次第にデバイスリンクプロファイルの精度を上げることができるが、カラーチャートのカラーパッチ数が多い場合にはカラーパッチを測色する測定時間が長くなり、その結果、デバイスリンクプロファイルの修正に多大な時間を要するといった問題がある。
【００１７】
また、実用的なカラーマッチング精度を高めるために、肌色に代表される特定の重要色などといった、デバイスリンクプロファイルを作成するにあたって使用されたカラーチャートを構成するカラーパッチに含まれない色に着目してデバイスリンクプロファイルを修正する場合は、最初の修正の際の色差が大きいため、デバイスリンクプロファイルの精度を上げるためにはデバイスリンクプロファイルの修正をより多く繰り返す必要があり、この場合も、デバイスリンクプロファイルの修正に多大な時間を要することとなる。
【００１８】
本発明は、上記事情に鑑み、色変換定義を効率良く修正することのできる色変換定義修正装置、およびコンピュータをそのような色変換定義修正装置として動作させる色変換定義修正プログラムを提供することを目的とする。
【００１９】
【課題を解決するための手段】
上記目的を達成する本発明の色変換定義修正装置のうちの第１の色変換定義修正装置は、
画像データに基づく画像を出力するターゲットデバイスに依存したターゲット色空間上の座標とデバイス非依存の測色色空間上の座標との対応を表わすターゲット色再現特性と、画像データに基づく画像を出力する出力デバイスに依存した出力デバイス色空間上の座標と上記測色色空間上の座標との対応を表わす出力色再現特性との結合からなる色変換定義を修正する色変換定義修正装置において、
複数のカラーパッチが配列されたカラーチャートを表わす、上記ターゲット色空間上の座標で色が定義された第１チャートデータに基づいて上記ターゲットデバイスによって出力されてなるカラーチャートのカラーパッチを測色することによって得られた、上記測色色空間上の座標で色が定義された第１測色データを取得する第１測色データ取得部と、
上記第１チャートデータを、上記色変換定義に基づいて、上記出力デバイス色空間上の座標で色が定義された第２チャートデータに変換する第１色変換部と、
上記第１色変換部で得られた第２チャートデータを、上記出力色再現特性に基づいて、上記測色色空間上の座標で色が定義された模擬測色データに変換する模擬色変換部と、
上記第１測色データ取得部で取得された第１測色データと、上記模擬色変換部で得られた模擬測色データとの差異に基づいて上記色変換定義を修正する色変換定義修正部とを備えたことを特徴とする。
【００２０】
本発明の色変換定義修正装置のうちの第１の色変換定義修正装置は、第１チャートデータを色変換定義に基づいて第２チャートデータに色変換し、この第２チャートデータを出力色再現特性に基づいて模擬測色データに変換し、第１チャートデータに基づいてターゲットデバイスによって出力されたカラーチャートのカラーパッチを測色して得られた第１測色データと模擬測色データとの差異に基づいて色変換定義を修正するものである。従って、第２チャートデータに基づいて出力デバイスによって出力されるカラーチャートのカラーパッチを測色するといった長い時間を要する従来の行程による修正と同様な修正が、短時間の計算によるシミュレーションで実現されるため、このような第１の色変換定義修正装置によれば、色変換定義を効率良く修正してカラーマッチング精度の高い色変換定義を得ることができる。
【００２１】
ここで、上記本発明の色変換定義修正装置のうちの第１の色変換定義修正装置は、上記第１チャートデータを、上記色変換定義が１回以上修正されてなる修正色変換定義に基づいて、上記出力デバイス色空間上の座標で色が定義された第３チャートデータに変換する第２色変換部と、
上記第２色変換部で得られた第３チャートデータに基づいて上記出力デバイスによって出力されてなるカラーチャートのカラーパッチを測色することによって得られた、上記測色色空間上の座標で色が定義された第２測色データを取得する第２測色データ取得部と、
上記第１測色データ取得部で取得された第１測色データと、上記第２測色データ取得部で取得された第２測色データとの差異に基づいて、上記修正色変換定義の再修正を行う色変換定義再修正部とを備えたものであることが好ましい。
【００２２】
このような第２色変換部と第２測色データ取得部と色変換定義再修正部とを備えた第１の色変換定義修正装置によれば、上述した、カラーマッチング精度の高い修正色変換定義に基づいてその修正色変換定義を再修正するため、より少ない繰り返し回数で色差が収束する。
【００２３】
また、上記第２色変換部と上記第２測色データ取得部と上記色変換定義再修正部とを備えた第１の色変換定義修正装置は、上記第１測色データと上記第２測色データとの差異と、この差異に基づいて上記色変換定義再修正部によって再修正される前の修正色変換定義とを対応付けて保存する保存部と、
上記保存部によって保存された修正色変換定義のうち、上記差異が最小の修正色変換定義を選択する色変換定義選択部とを備えたものであることも好ましい形態である。
【００２４】
このように、色変換定義の修正を繰り返す間、その修正の過程で得られる色差と修正色変換定義との双方を対応付けた上で保存しておくことにより、保存された色差に基づいて、最適な修正色変換定義を得ることができる。
【００２５】
さらに、上記第２色変換部と第２測色データ取得部と色変換定義再修正部とを備えた第１の色変換定義修正装置において、上記出力デバイスが、網点構造の画像を出力するものであり、
上記色変換定義再修正部による修正が終わった修正色変換定義に対し、上記網点構造の特定構造に相当する上記ターゲット色空間上の特定座標と、その特定構造に相当する上記出力デバイス色空間上の特定座標とが対応するような修正を施す特定構造維持部を備えたものであることが好ましい。
【００２６】
ここで、上記「網点構造の特定構造」とは、例えば１次色べた成分、２次色べた成分、１次色の補色成分、２次色の補色成分、墨版色成分などをいう。
【００２７】
出力デバイスが、網点構造の画像を出力するものである場合には、例えば１次色保存、２次色保存、墨版色保存などといった、網点構造の特定構造を維持させるようなカラーマッチング以外の要素が色変換定義に含まれていることがあるが、これらの要素を外して色変換定義の修正を行うことにより、色変換定義をより一層効率良く修正することができる。また、修正が終わった修正色変換定義に対して網点構造の特定構造を維持させるような修正を施すことによって、その特定構造を修正後の色変換定義に反映させることができる。
【００２８】
また、上記目的を達成する本発明の色変換定義修正装置のうちの第２の色変換定義修正装置は、
画像データに基づく画像を出力するターゲットデバイスに依存したターゲット色空間上の座標とデバイス非依存の測色色空間上の座標との対応を表わすターゲット色再現特性と、画像データに基づく画像を出力する出力デバイスに依存した出力デバイス色空間上の座標と上記測色色空間上の座標との対応を表わす出力色再現特性との結合からなる色変換定義を修正する色変換定義修正装置において、
複数のカラーパッチが配列されたカラーチャートを表わす、上記ターゲット色空間上の座標で色が定義された第１チャートデータに基づいて上記ターゲットデバイスによって出力されてなるカラーチャートのカラーパッチを測色することによって得られた、上記測色色空間上の座標で色が定義された第１測色データを取得する第１測色データ取得部と、
上記第１チャートデータを、上記ターゲット色再現特性に基づいて、上記測色色空間上の座標で色が定義された模擬測色データに変換する模擬色変換部と、
上記第１測色データ取得部で取得された第１測色データと、上記模擬色変換部で得られた模擬測色データとの差異に基づいて上記ターゲット色再現特性を修正することによって上記色変換定義を修正する色変換定義修正部とを備えたことを特徴とする。
【００２９】
本発明の色変換定義修正装置のうちの第２の色変換定義修正装置は、第１チャートデータをターゲット色再現特性に基づいて模擬測色データに変換し、第１チャートデータに基づいてターゲットデバイスによって出力されたカラーチャートのカラーパッチを測色して得られた第１測色データと模擬測色データとの差異に基づいてターゲット色再現特性を修正することによって色変換定義を修正するものである。従って、短時間の計算によるシミュレーションによって、より精度の高いターゲット色再現特性を得ることができ、その結果、このような第２の色変換定義修正装置によれば、色変換定義を効率良く修正することができる。また、この第２の色変換定義修正装置によって修正されるターゲット色再現特性はカラーマッチング精度の高いものであるため、この修正されたターゲット色再現特性に基づいて複数の異なるデバイスリンクプロファイルを修正する場合にも効率良く修正することができる。
【００３０】
また、上記目的を達成する本発明の色変換定義修正プログラムのうちの第１の色変換定義修正プログラムは、
画像データに基づく画像を出力するターゲットデバイスに依存したターゲット色空間上の座標とデバイス非依存の測色色空間上の座標との対応を表わすターゲット色再現特性と、画像データに基づく画像を出力する出力デバイスに依存した出力デバイス色空間上の座標と上記測色色空間上の座標との対応を表わす出力色再現特性との結合からなる色変換定義を修正する色変換定義修正プログラムにおいて、
複数のカラーパッチが配列されたカラーチャートを表わす、上記ターゲット色空間上の座標で色が定義された第１チャートデータに基づいて上記ターゲットデバイスによって出力されてなるカラーチャートのカラーパッチを測色することによって得られた、上記測色色空間上の座標で色が定義された第１測色データを取得する第１測色データ取得部と、
上記第１チャートデータを、上記色変換定義に基づいて、上記出力デバイス色空間上の座標で色が定義された第２チャートデータに変換する第１色変換部と、
上記第１色変換部で得られた第２チャートデータを、上記出力色再現特性に基づいて、上記測色色空間上の座標で色が定義された模擬測色データに変換する模擬色変換部と、
上記第１測色データ取得部で取得された第１測色データと、上記模擬色変換部で得られた模擬測色データとの差異に基づいて上記色変換定義を修正する色変換定義修正部とを備えたことを特徴とする。
【００３１】
本発明の色変換定義修正プログラムのうちの第１の色変換定義修正プログラムは、この第１の色変換定義修正プログラムをコンピュータにインストールして動作させたときに、そのコンピュータが本発明の色変換定義修正装置のうちの第１の色変換定義修正装置として動作するように構成されたものであり、この第１の色変換定義修正プログラムには、その第１の色変換定義修正装置の各種態様に対応する全ての態様が含まれる。
【００３２】
また、上記目的を達成する本発明の色変換定義修正プログラムのうちの第２の色変換定義修正プログラムは、
画像データに基づく画像を出力するターゲットデバイスに依存したターゲット色空間上の座標とデバイス非依存の測色色空間上の座標との対応を表わすターゲット色再現特性と、画像データに基づく画像を出力する出力デバイスに依存した出力デバイス色空間上の座標と上記測色色空間上の座標との対応を表わす出力色再現特性との結合からなる色変換定義を修正する色変換定義修正プログラムにおいて、
複数のカラーパッチが配列されたカラーチャートを表わす、上記ターゲット色空間上の座標で色が定義された第１チャートデータに基づいて上記ターゲットデバイスによって出力されてなるカラーチャートのカラーパッチを測色することによって得られた、上記測色色空間上の座標で色が定義された第１測色データを取得する第１測色データ取得部と、
上記第１チャートデータを、上記ターゲット色再現特性に基づいて、上記測色色空間上の座標で色が定義された模擬測色データに変換する模擬色変換部と、
上記第１測色データ取得部で取得された第１測色データと、上記模擬色変換部で得られた模擬測色データとの差異に基づいて上記ターゲット色再現特性を修正することによって上記色変換定義を修正する色変換定義修正部とを備えたことを特徴とする。
【００３３】
本発明の色変換定義修正プログラムのうちの第２の色変換定義修正プログラムは、この第２の色変換定義修正プログラムをコンピュータにインストールして動作させたときに、そのコンピュータが本発明の色変換定義修正装置のうちの第２の色変換定義修正装置として動作するように構成されたものであり、この第２の色変換定義修正プログラムには、その第２の色変換定義修正装置の各種態様に対応する全ての態様が含まれる。
【００３４】
なお、本発明の色変換定義修正装置と色変換定義修正プログラムとで、それぞれ構成要素に同じ名前を付したが、それらの構成要素は、色変換定義修正装置ではハードウェアおよびソフトウェアを意味し、色変換定義修正プログラムではソフトウェアのみを意味する。
【００３５】
【発明の実施の形態】
以下、本発明の実施形態について説明する。
【００３６】
本実施形態では、網点構造の画像を出力するカラープリンタでプリント出力されるプルーフ画像上の色を、印刷機で得られる印刷物上の色に一致あるいは十分に近似させるための、本発明にいう色変換定義の一例であるデバイスリンクプロファイルを修正する例で説明する。
【００３７】
図１は、本発明の一実施形態により修正されるデバイスリンクプロファイルが採用される印刷およびプルーフ画像作成システムの全体構成図である。ここでは、先ずこの図１を参照して、本発明の位置づけについて説明する。
【００３８】
カラースキャナ１０では、原稿画像１１が読み取られて、その読み取った原稿画像１１を表すＣ（Ｃｙａｎ：シアン）、Ｍ（Ｍａｇｅｎｔａ：マゼンタ）、Ｙ（Ｙｅｌｌｏｗ：イエロー）、およびＫ（Ｂｌａｃｋ：黒）からなる４色の色分解画像データが生成される。このＣＭＹＫの画像データはワークステーション２０に入力される。ワークステーション２０では、オペレータにより、入力された画像データに基づく、電子的な集版が行われ、印刷用の画像を表す画像データが生成される。この印刷用の画像データは、印刷を行う場合は、フィルムプリンタ３０に入力され、フィルムプリンタ３０では、その入力された画像データに対応した、ＣＭＹＫ各版の印刷用フィルム原版が作成される。
【００３９】
この印刷用フィルム原版からは刷版が作成され、その作成された刷版が印刷機４０に装着される。この印刷機４０に装着された刷版にはインクが塗布され、その塗布されたインクが印刷用の用紙上に転移されてその用紙上に印刷画像４１が形成される。
【００４０】
このフィルムプリンタ３０によりフィルム原版を作成し、さらに刷版を作成して印刷機４０に装着し、その刷版にインクを塗布して用紙上に印刷を行う一連の作業は、大がかりな作業であり、コストもかかる。このため、実際の印刷作業を行う前に、プリンタ６０により、以下のようにしてプルーフ画像６１を作成し、印刷画像４１の仕上りの事前予測が行われる。
【００４１】
プルーフ画像を作成するにあたっては、ワークステーション２０上の電子集版により作成された画像データがパーソナルコンピュータ５０に入力される。ここで、このパーソナルコンピュータ５０に入力される画像データは、いわゆるＰＤＬ（Ｐａｇｅ  Ｄｅｓｃｒｉｐｔｉｏｎ  Ｌａｎｇｕａｇｅ）で記述された記述言語データであり、パーソナルコンピュータ５０では、いわゆるＲＩＰ（Ｒａｓｔｅｒ  Ｉｍａｇｅ  Ｐｒｏｃｅｓｓｏｒ）により、ビットマップに展開されたＣＭＹＫ４色の画像データに変換される。このＣＭＹＫ４色の画像データは、実質的には、フィルムプリンタ３０に入力される印刷用の画像データと同一である。
【００４２】
この図１に示す分光測色計７０およびパーソナルコンピュータ８０は、プロファイルの作成および修正に関連するものであって、パーソナルコンピュータ８０は本発明にいう色変換定義修正装置の一実施形態を構成するものであり、分光測色計７０は補助的に用いられる装置である。パーソナルコンピュータ５０には、このパーソナルコンピュータ８０を用いてあらかじめ作成・修正されたＬＵＴ（Ｌｏｏｋ  Ｕｐ  Ｔａｂｌｅ）の形式を持つデバイスリンクプロファイルが格納されている。上述したＣＭＹＫ４色の印刷用の画像データは、このパーソナルコンピュータ５０の内部で、そのデバイスリンクプロファイルが参照され、プリンタ６０に適合したＣＭＹＫ４色の画像データに変換される。プリンタ６０には、そのプリンタ用のＣＭＹＫ４色の画像データが入力され、プリンタ６０では、その入力されたプリンタ用のＣＭＹＫ４色の画像データに基づくプルーフ画像６１が作成される。
【００４３】
ここで、印刷機４０による印刷で得られた画像４１とプリンタ６０で得られたプルーフ画像の色の一致の程度は、パーソナルコンピュータ５０内のデバイスリンクプロファイルにより定まる。このデバイスリンクプロファイルは、プリンタごと各プリント条件ごとに作成される。
【００４４】
また、この図１には印刷機は１台のみ示されているが印刷機も複数台存在していてもよく、あるいは１台の印刷機であっても異なる複数の印刷条件が存在してもよく、デバイスリンクプロファイルは、印刷機の相異を含めた複数の印刷条件それぞれに応じて作成される。すなわち、デバイスリンクプロファイルは、印刷条件のそれぞれとプリンタそれぞれ（１台のプリンタで複数のプリント条件が存在するときは各プリント条件それぞれ）との組合せに応じて作成されることになる。尚、このデバイスリンクプロファイルの作成方法については後述する。
【００４５】
このようにしてプルーフ画像を作成してそのプルーフ画像を確認することにより、印刷の仕上りを事前に予測することができる。
【００４６】
ここで、この図１に示す印刷およびプルーフ画像作成システムにおける、本発明の一実施形態としての特徴は、パーソナルコンピュータ８０の内部で実行される処理内容に関連があり、以下、先ず、このパーソナルコンピュータ８０について説明する。
【００４７】
図２は、図１にブロックで示す分光測色計７０、および本発明の色変換定義修正装置の一実施形態を構成するパーソナルコンピュータ８０の外観斜視図、図３は、そのパーソナルコンピュータ８０のハードウェア構成図である。
【００４８】
ここでは、このパーソナルコンピュータ８０のハードウェアおよびＯＳ（Ｏｐｅｒａｔｉｏｎ  Ｓｙｓｔｅｍ）と、このパーソナルコンピュータ８０にインストールされて実行される色変換定義修正プログラムとにより、本発明の色変換定義修正装置の一実施形態が構成されている。
【００４９】
この図２に示す分光測色計７０には複数のカラーパッチが配列されたカラーチャート９０が乗せられ、そのカラーチャート９０を構成する複数のカラーパッチそれぞれについて測色値（ここではＬ＊ａ＊ｂ＊とする）が測色される。この分光測色計７０での測色により得られた各カラーパッチの測色値を表す測色データは、ケーブル９１を経由してパーソナルコンピュータ８０に入力される。
【００５０】
このカラーチャート９０は、図１に１つのブロックで示す印刷機４０での印刷により、あるいはプリンタ６０でのプリント出力により作成されたものであり、パーソナルコンピュータ８０は、このカラーチャート９０を構成する各カラーパッチに対応する色データ（デバイスに依存した色空間上の座標；ＣＭＹＫあるいはＲＧＢの各値）を知っており、このパーソナルコンピュータ８０では、そのカラーチャート９０の各カラーパッチの色データと分光測色計７０で得られた測色データとに基づいて、印刷プロファイルやプリンタプロファイルが作成される。この点に関する詳細説明は後に譲り、ここでは、次に、パーソナルコンピュータ８０のハードウェア構成について説明する。
【００５１】
図２に示すように、このパーソナルコンピュータ８０は、外観構成上、本体装置８１、その本体装置８１からの指示に応じて表示画面８２ａ上に画像を表示する画像表示装置８２、本体装置８１に、キー操作に応じた各種の情報を入力するキーボード８３、および、表示画面８２ａ上の任意の位置を指定することにより、その指定時にその位置に表示されていた、例えばアイコン等に応じた指示を入力するマウス８４を備えている。この本体装置８１は、外観上、フレキシブルディスク（ＦＤ）を装填するためのＦＤ装填口８１ａ、およびＣＤ−ＲＯＭを装填するためのＣＤ−ＲＯＭ装填口８１ｂを有する。
【００５２】
本体装置８１の内部には、図３に示すように、各種プログラムを実行するＣＰＵ８１１、ハードディスク装置８１３に格納されたプログラムが読み出されＣＰＵ８１１での実行のために展開される主メモリ８１２、各種プログラムやデータ等が保存されたハードディスク装置８１３、ＦＤ１００が装填されその装填されたＦＤ１００をアクセスするＦＤドライブ８１４、ＣＤ−ＲＯＭ１１０が装填され、その装填されたＣＤ−ＲＯＭ１１０をアクセスするＣＤ−ＲＯＭドライブ８１５、図１，図２に示す分光測色計７０と接続され、分光測色計７０から測色データを受け取るＩ／Ｏインタフェース８１６が内蔵されており、これらの各種要素と、さらに図２にも示す画像表示装置８２、キーボード８３、マウス８４は、バス８５を介して相互に接続されている。
【００５３】
ここで、ＣＤ−ＲＯＭ１１０には、このパーソナルコンピュータ８０を色変換定義修正装置として動作させるための色変換定義修正プログラムが記憶されており、そのＣＤ−ＲＯＭ１１０はＣＤ−ＲＯＭドライブ８１５に装填され、そのＣＤ−ＲＯＭ１１０に記憶された色変換定義修正プログラムがこのパーソナルコンピュータ８０にアップロードされてハードディスク装置８１３に記憶される。
【００５４】
なお、このパーソナルコンピュータ８０による、以下において説明するプロファイルの作成の機能は、本発明の主題ではなく、その機能を実現するために必要なプログラム等は既にパーソナルコンピュータ８０にインストールされているものとする。
【００５５】
次に、このパーソナルコンピュータ８０内に構築された、プロファイルの作成機能について説明する。
【００５６】
尚、一般に、以下説明するプリンタプロファイルはプリンタのメーカで既に作成され、そのプリンタとともに納品されるものであり、したがってここでは、プリンタプロファイルをあらためて作成する必要はないが、以下では、そのプリンタプロファイルを新たに作成するとした場合の基本的な作成方法について説明する。
【００５７】
図４は、プロファイル作成および修正の説明図である。
【００５８】
ここでは、先ず印刷プロファイルの作成方法について説明する。
【００５９】
図１に示すワークステーション２０で、例えば０％，１０％，……，１００％と順次変化させたＣＭＹＫ４色の網％データを生成し、前述の印刷手順に従って、そのようにして生成した網％データに基づくカラーチャート４２を作成する。このカラーチャート４２を構成する各カラーパッチを分光測色計７０（図２参照）で測色する。こうすることにより、ＣＭＹＫ４色の色空間上のＣＭＹＫ値と、Ｌ＊ａ＊ｂ＊色空間上のＬ＊ａ＊ｂ＊値との対応関係を得る。
【００６０】
このようにして得られた対応関係は、カラーチャートを構成するカラーパッチの数に制限があるため、ＣＭＹＫ色空間上のかなり粗い間隔の座標点についてのＣＭＹＫ値とＬ＊ａ＊ｂ＊値との対応関係である。このため、この対応関係を得た後、この対応関係に補間演算等を適用して、ＣＭＹＫ空間上での所望の細かい間隔の座標点に関する対応関係が定義された印刷プロファイル４００が作成される。
【００６１】
図５は、印刷プロファイル４００の概念図である。
【００６２】
この印刷プロファイル４００には、ＣＭＹＫで定義された画像データが入力され、そのＣＭＹＫの画像データがＬ＊ａ＊ｂ＊で定義された画像データに変換される。ここでは、この、ＣＭＹＫで定義された画像データをＬ＊ａ＊ｂ＊で定義された画像データに変換する印刷プロファイル４００をＴで表す。
【００６３】
次に、図４に戻って、プリンタプロファイルの作成方法について説明する。
【００６４】
このプリンタプロファイルの作成方法は、カラーチャートを出力する出力デバイスが印刷機ではなくプリンタであるという点を除き、印刷プロファイル４００の作成方法と同様である。すなわち、ここでは、図１に示すパーソナルコンピュータ５０で、ＣＭＹＫ４色の網％データを各色について０％，１０％，…，１００％と順次変化させ、そのように順次発生させた網％データをプリンタ６０に送り、プリンタ６０でその網％データに基づくカラーチャート６２をプリント出力する。ここでは、印刷プロファイル４００の作成のために印刷機４０での印刷により作成したカラーチャート４２と同一タイプのカラーチャート６２を出力したものとし、そのカラーチャート６２を構成する各カラーパッチを分光測色計７０（図２参照）で測色する。こうすることにより、プリンタ６０についての、ＣＭＹＫ４色の色空間上のＣＭＹＫ値と、Ｌ＊ａ＊ｂ＊色空間上のＬ＊ａ＊ｂ＊値との対応関係を得る。
【００６５】
このようにして得られた対応関係は、印刷プロファイル４００の作成の場合と同様、カラーチャートを構成するカラーパッチの数に制限があるため、ＣＭＹＫ色空間上のかなり粗い間隔の座標点についてのＣＭＹＫ値とＬ＊ａ＊ｂ＊値との対応関係であり、この対応関係に補間演算を適用して、ＣＭＹＫ空間上での所望の細かい間隔での座標点に関する対応関係が定義されたプリンタプロファイル５００が作成される。
【００６６】
図６は、プリンタプロファイル５００の概念図である。
【００６７】
このプリンタプロファイル５００には、ＣＭＹＫの網％データが入力され、そのＣＭＹＫの網％データがＬ＊ａ＊ｂ＊の測色データに変換される。ここでは、この、ＣＭＹＫの網％データをＬ＊ａ＊ｂ＊の測色データに変換するプリンタプロファイル５００（順変換プリンタプロファイル）をＰで表し、その逆変換、すなわちＬ＊ａ＊ｂ＊の測色データをＣＭＹＫの網％データに変換するプリンタプロファイル（逆変換プリンタプロファイル）をＰ−１で表す。
【００６８】
尚、ここではプリンタ６０はＣＭＹＫの網％データに基づいて画像を出力するプリンタであるとして説明しているが、例えばＲＧＢのデータに基づく画像を出力するプリンタに関しても、パーソナルコンピュータ５０で、ＲＧＢ空間で定義されたデータを発生させてカラーチャートを出力することにより、同様にしてそのプリンタに適合したプリンタプロファイルを作成することができる。
【００６９】
ただしここでは、ＣＭＹＫの網％データに基づいて画像を出力するプリンタ６０を使用するものとして説明する。
【００７０】
図７は、図５に示す印刷プロファイル４００と図６に示すプリンタプロファイル５００とを結合させたデバイスリンクプロファイル６００の概念図である。
【００７１】
このデバイスリンクプロファイル６００は印刷プロファイル４００（Ｔ）と逆変換プリンタプロファイル（Ｐ−１）との結合からなるものであって、印刷用のＣＭＹＫの網％データを印刷プロファイル４００（Ｔ）によりＬ＊ａ＊ｂ＊の測色データに変換し、次いでそのＬ＊ａ＊ｂ＊の測色データを逆変換プリンタプロファイル（Ｐ−１）によりプリンタ用のＣＭＹＫの網％データに変換するという２段階の変換と同等な結果を１回のデータ変換で実現するものである。つまり、このデバイスリンクプロファイル６００は、印刷用のＣＭＹＫ色空間で定義された画像データをプリンタ用のＣＭＹＫ色空間で定義された画像データに変換するものである。このデバイスリンクプロファイル６００で生成したプリンタ用のＣＭＹＫの網％データに基づいて、プリンタ６０により、印刷される画像の色と極力同じ色に似せたプルーフ画像を出力することができる。
【００７２】
図１に示す印刷およびプルーフ画像作成システムを構成するパーソナルコンピュータ８０でこのようなデバイスリンクプロファイル６００を作成し、この作成したデバイスリンクプロファイル６００を図１に示す印刷およびプルーフ画像作成システムを構成するパーソナルコンピュータ５０にインストールして、ワークステーション２０から入力されたＰＤＬで記述された画像データをＣＭＹＫの画像データに変換した後、その印刷用のＣＭＹＫの画像データを、そのデバイスリンクプロファイル６００を用いてプリンタ用のＣＭＹＫの画像データに変換し、プリンタ６０により、そのプリンタ用のＣＭＹＫの画像データに基づく画像をプリント出力することにより、図１に示す印刷機４０で印刷される画像と色彩的に極力同一に似せたプルーフ画像が作成される。
【００７３】
次に、図４に戻って、デバイスリンクプロファイル６００に基づく色変換におけるカラーマッチングの精度を高めるためのデバイスリンクプロファイル６００の従来の修正方法について説明する。
【００７４】
例えば肌色などといった特定の重要色を含むカラーパッチが配列されたカラーチャート（以下、このカラーチャートを評価用カラーチャートと称する）により表される印刷用のＣＭＹＫ４色の網％データに基づくカラーチャート４３を、前述の印刷手順に従って作成する。このカラーチャート４３を構成する各カラーパッチを分光測色計７０（図２参照）で測色する。
【００７５】
また、上述したようにして作成されたデバイスリンクプロファイル６００を図１に示す印刷およびプルーフ画像作成システムを構成するパーソナルコンピュータ５０にインストールして、上述した評価用カラーチャートにより表される印刷用のＣＭＹＫ４色の網％データを、そのデバイスリンクプロファイル６００を用いてプリンタ用のＣＭＹＫの画像データに変換し、プリンタ６０により、そのプリンタ用のＣＭＹＫの画像データに基づくカラーチャート６４をプリント出力する。このカラーチャート６４を構成する各カラーパッチを分光測色計７０（図２参照）で測色する。
【００７６】
カラーチャート４３を構成する各カラーパッチを測色して得られる測色値と、カラーチャート６４を構成する各カラーパッチを測色して得られる測色値との色差に基づいてデバイスリンクプロファイル６００を修正することによって、実用的なカラーマッチング精度がより高められたデバイスリンクプロファイル６００が得られる。
【００７７】
ここで、「発明が解決しようとする課題」の欄で説明したように、デバイスリンクプロファイル６００の修正を繰り返すことで、次第にデバイスリンクプロファイル６００の精度を上げることができるが、カラーチャートのカラーパッチ数が多い場合にはカラーパッチを測色する測定時間が長くなり、その結果、デバイスリンクプロファイル６００の修正に多大な時間を要するといった問題がある。
【００７８】
また、実用的なカラーマッチング精度を高めるために、肌色に代表される特定の重要色などといった、デバイスリンクプロファイル６００を作成するにあたって使用されたカラーチャート４２を構成するカラーパッチに含まれない色に着目した、例えば上述した評価用カラーチャートを用いてデバイスリンクプロファイル６００を修正する場合は、最初の修正の際の色差が大きいため、デバイスリンクプロファイル６００の精度を上げるためにはデバイスリンクプロファイル６００の修正をより多く繰り返す必要があり、この場合も、デバイスリンクプロファイル６００の修正に多大な時間を要することとなる。
【００７９】
そこで、次に、図１，図２，図３に示すパーソナルコンピュータ８０が本発明の色変換定義修正装置の一実施形態として動作することによって実現される、色変換定義を効率良く修正することのできる色変換定義修正の一例について説明する。
【００８０】
図８は、本発明の色変換定義修正プログラムの一実施形態を示した図である。
【００８１】
この図８に示す色変換定義修正プログラム２１０は、図３に示すＣＤ−ＲＯＭ１１０に記憶されている。
【００８２】
この色変換定義修正プログラム２１０は、図１，図２，図３に示すパーソナルコンピュータ８０内で実行され、そのパーソナルコンピュータ８０を、印刷用のＣＭＹＫ色空間で定義された画像データをプリンタ用のＣＭＹＫ色空間で定義された画像データに変換するデバイスリンクプロファイルを修正する色変換定義修正装置として動作させる色変換定義修正プログラムである。この色変換定義修正プログラム２１０は、第１測色データ取得部２１１と、第１色変換部２１２と、模擬色変換部２１３と、デバイスリンクプロファイル修正部２１４と、第２色変換部２１５と、第２測色データ取得部２１６と、デバイスリンクプロファイル再修正部２１７と、保存部２１８と、デバイスリンクプロファイル選択部２１９と、特定構造維持部２２０とから構成されている。
【００８３】
この色変換定義修正プログラム２１０の各要素の作用については後述する。
【００８４】
図９は、本発明の色変換定義修正装置の一実施形態を示す機能ブロック図である。
【００８５】
この図９に示す色変換定義修正装置３００は、図１，図２，図３に示すパーソナルコンピュータ８０に、図８に示す色変換定義修正プログラム２１０がローディングされ、その色変換定義修正プログラム２１０がそのパーソナルコンピュータ８０内で実行されることにより実現される。
【００８６】
この図９に示す色変換定義修正装置３００は、印刷用のＣＭＹＫ色空間で定義された画像データをプリンタ用のＣＭＹＫ色空間で定義された画像データに変換するデバイスリンクプロファイルを修正するものであって、この色変換定義修正装置３００には、第１測色データ取得部３１１と、第１色変換部３１２と、模擬色変換部３１３と、デバイスリンクプロファイル修正部３１４と、第２色変換部３１５と、第２測色データ取得部３１６と、デバイスリンクプロファイル再修正部３１７と、保存部３１８と、デバイスリンクプロファイル選択部３１９と、特定構造維持部３２０とが備えられている。
【００８７】
この色変換定義修正装置３００に備えられている第１測色データ取得部３１１、第１色変換部３１２、模擬色変換部３１３、デバイスリンクプロファイル修正部３１４、第２色変換部３１５、第２測色データ取得部３１６、デバイスリンクプロファイル再修正部３１７、保存部３１８、デバイスリンクプロファイル選択部３１９、および特定構造維持部３２０の各要素は、それぞれ、図８に示す色変換定義修正プログラム２１０を構成するソフトウェア部品としての第１測色データ取得部２１１、第１色変換部２１２、模擬色変換部２１３、デバイスリンクプロファイル修正部２１４、第２色変換部２１５、第２測色データ取得部２１６、デバイスリンクプロファイル再修正部２１７、保存部２１８、デバイスリンクプロファイル選択部２１９、および特定構造維持部２２０の各要素と、それらのソフトウェア部品の各機能を実現するために必要な、図１，図２，図３に示すパーソナルコンピュータ８０のハードウェアとＯＳ（Ｏｐｅｒａｔｉｏｎ  Ｓｙｓｔｅｍ）やアプリケーションプログラムとの組み合わせから構成されている。
【００８８】
以下、図９に示す色変換定義修正装置３００の各要素を説明することによって、図８に示す色変換定義修正プログラム２１０の各要素も合わせて説明する。
【００８９】
なお、ここでは、この色変換定義修正装置３００の各要素の概念的な作用について説明し、これら各要素の具体的な作用については後述する。
【００９０】
図９に示す色変換定義修正装置３００の第１測色データ取得部３１１は、アプリケーションソフトウェア上は、図８に示す色変換定義修正プログラム２１０の第１測色データ取得部２１１に対応する要素であり、複数のカラーパッチが配列されたカラーチャートを表わす、印刷用のＣＭＹＫ色空間上のＣＭＹＫ値で色が定義された第１チャートデータに基づいて印刷機４０によって出力されてなるカラーチャートのカラーパッチを測色することによって得られた、Ｌ＊ａ＊ｂ＊色空間上のＬ＊ａ＊ｂ＊値で色が定義された第１測色データを取得するものである。この第１測色データ取得部３１１は、本発明にいう第１測色データ取得部の機能の一例を示すものであり、その機能は、ハードウェア上は、図１，図２，図３に示すパーソナルコンピュータ８０のＩ／Ｏインタフェース８１６と、プログラム部品としての第１測色データ取得部２１１（図８参照）を実行するＣＰＵ８１１等との組合せによって担われる。
【００９１】
また、第１色変換部３１２は、アプリケーションソフトウェア上は、図８に示す色変換定義修正プログラム２１０の第１色変換部２１２に対応する要素であり、印刷用のＣＭＹＫ色空間上のＣＭＹＫ値で色が定義された第１チャートデータを、デバイスリンクプロファイルに基づいて、プリンタ用のＣＭＹＫ色空間上のＣＭＹＫ値で色が定義された第２チャートデータに変換するものである。この第１色変換部３１２は、本発明にいう第１色変換部の機能の一例を示すものであり、その機能は、ハードウェア上は、プログラム部品としての第１色変換部２１２（図８参照）を実行する、図１，図２，図３に示すパーソナルコンピュータ８０の本体装置８１に内蔵されたＣＰＵ８１１等によって担われる。
【００９２】
また、模擬色変換部３１３は、アプリケーションソフトウェア上は、図８に示す色変換定義修正プログラム２１０の模擬色変換部２１３に対応する要素であり、第１色変換部３１２で得られた第２チャートデータを、プリンタプロファイルに基づいて、Ｌ＊ａ＊ｂ＊色空間上のＬ＊ａ＊ｂ＊値で色が定義された第１模擬測色データに変換するものである。また、この模擬色変換部３１３は、印刷用のＣＭＹＫ色空間上のＣＭＹＫ値で色が定義された第１チャートデータを、印刷プロファイルに基づいて、Ｌ＊ａ＊ｂ＊色空間上のＬ＊ａ＊ｂ＊値で色が定義された第２模擬測色データに変換することもできる。この模擬色変換部３１３は、本発明にいう模擬色変換部の機能の一例を示すものであり、その機能は、ハードウェア上は、プログラム部品としての模擬色変換部２１３（図８参照）を実行する、図１，図２，図３に示すパーソナルコンピュータ８０の本体装置８１に内蔵されたＣＰＵ８１１等によって担われる。
【００９３】
また、デバイスリンクプロファイル修正部３１４は、アプリケーションソフトウェア上は、図８に示す色変換定義修正プログラム２１０のデバイスリンクプロファイル修正部２１４に対応する要素であり、第１測色データ取得部３１１で取得された第１測色データと、模擬色変換部３１３で得られた第１模擬測色データとの差異に基づいてデバイスリンクプロファイルを修正するものである。また、このデバイスリンクプロファイル修正部３１４は、第１測色データ取得部３１１で取得された第１測色データと、模擬色変換部３１３で得られた第２模擬測色データとの差異に基づいて印刷プロファイルを修正することによってデバイスリンクプロファイルを修正することもできる。尚、具体的な修正方法については後述する。このデバイスリンクプロファイル修正部３１４は、本発明にいうデバイスリンクプロファイル修正部の機能の一例を示すものであり、その機能は、ハードウェア上は、プログラム部品としてのデバイスリンクプロファイル修正部２１４（図８参照）を実行する、図１，図２，図３に示すパーソナルコンピュータ８０の本体装置８１に内蔵されたＣＰＵ８１１等によって担われる。
【００９４】
また、第２色変換部３１５は、アプリケーションソフトウェア上は、図８に示す色変換定義修正プログラム２１０の第２色変換部２１５に対応する要素であり、印刷用のＣＭＹＫ色空間上のＣＭＹＫ値で色が定義された第１チャートデータを、デバイスリンクプロファイルが１回以上修正されてなる修正デバイスリンクプロファイルに基づいて、プリンタ用のＣＭＹＫ色空間上のＣＭＹＫ値で色が定義された第３チャートデータに変換するものである。この第２色変換部３１５は、本発明にいう第２色変換部の機能の一例を示すものであり、その機能は、ハードウェア上は、プログラム部品としての第２色変換部２１５（図８参照）を実行する、図１，図２，図３に示すパーソナルコンピュータ８０の本体装置８１に内蔵されたＣＰＵ８１１等によって担われる。
【００９５】
また、第２測色データ取得部３１６は、アプリケーションソフトウェア上は、図８に示す色変換定義修正プログラム２１０の第２測色データ取得部２１６に対応する要素であり、第２色変換部３１５で得られた第３チャートデータに基づいてプリンタ６０によって出力されてなるカラーチャートのカラーパッチを測色することによって得られた、Ｌ＊ａ＊ｂ＊色空間上のＬ＊ａ＊ｂ＊値で色が定義された第２測色データを取得するものである。この第２測色データ取得部３１６は、本発明にいう第２測色データ取得部の機能の一例を示すものであり、その機能は、ハードウェア上は、図１，図２，図３に示すパーソナルコンピュータ８０のＩ／Ｏインタフェース８１６と、プログラム部品としての第２測色データ取得部２１６（図８参照）を実行するＣＰＵ８１１等との組合せによって担われる。
【００９６】
また、デバイスリンクプロファイル再修正部３１７は、アプリケーションソフトウェア上は、図８に示す色変換定義修正プログラム２１０のデバイスリンクプロファイル再修正部２１７に対応する要素であり、第１測色データ取得部３１１で取得された第１測色データと、第２測色データ取得部３１６で取得された第２測色データとの差異に基づいて、修正デバイスリンクプロファイルの再修正を行うものである。このデバイスリンクプロファイル再修正部３１７は、本発明にいう色変換定義再修正部の機能の一例を示すものであり、その機能は、ハードウェア上は、プログラム部品としてのデバイスリンクプロファイル再修正部２１７（図８参照）を実行する、図１，図２，図３に示すパーソナルコンピュータ８０の本体装置８１に内蔵されたＣＰＵ８１１等によって担われる。
【００９７】
このように、デバイスリンクプロファイル修正部３１４によってデバイスリンクプロファイルが１回以上修正されてなる、カラーマッチング精度の高い修正デバイスリンクプロファイルに基づいてその修正デバイスリンクプロファイルが再修正されるため、より少ない繰り返し回数で色差が収束する。
【００９８】
また、保存部３１８は、アプリケーションソフトウェア上は、図８に示す色変換定義修正プログラム２１０の保存部２１８に対応する要素であり、Ｌ＊ａ＊ｂ＊色空間上のＬ＊ａ＊ｂ＊値で色が定義された第１測色データと、Ｌ＊ａ＊ｂ＊色空間上のＬ＊ａ＊ｂ＊値で色が定義された第２測色データとの差異と、この差異に基づいてデバイスリンクプロファイル再修正部３１７によって再修正される前の修正デバイスリンクプロファイルとを対応付けて保存するものである。この保存部３１８は、本発明にいう保存部の機能の一例を示すものであり、その機能は、ハードウェア上は、図１，図２，図３に示すパーソナルコンピュータ８０に内蔵された主メモリ８１２あるいはハードディスク装置８１３と、プログラム部品としての保存部２１８（図８参照）を実行するＣＰＵ８１１等との組合せによって担われる。
【００９９】
このように、デバイスリンクプロファイルの修正を繰り返す間、その修正の過程で得られる色差と修正デバイスリンクプロファイルとの双方を対応付けた上で保存しておくことにより、保存された色差に基づいて、最適な修正デバイスリンクプロファイルを得ることができる。
【０１００】
また、デバイスリンクプロファイル選択部３１９は、アプリケーションソフトウェア上は、図８に示す色変換定義修正プログラム２１０のデバイスリンクプロファイル選択部２１９に対応する要素であり、保存部３１８によって保存された修正デバイスリンクプロファイルのうち、差異が最小の修正デバイスリンクプロファイルを選択するものである。このデバイスリンクプロファイル選択部３１９は、本発明にいう色変換定義選択部の機能の一例を示すものであり、その機能は、ハードウェア上は、プログラム部品としてのデバイスリンクプロファイル選択部２１９（図８参照）を実行する、図１，図２，図３に示すパーソナルコンピュータ８０の本体装置８１に内蔵されたＣＰＵ８１１等によって担われる。
【０１０１】
さらに、特定構造維持部３２０は、アプリケーションソフトウェア上は、図８に示す色変換定義修正プログラム２１０の特定構造維持部２２０に対応する要素であり、デバイスリンクプロファイル再修正部３１７による修正が終わった修正デバイスリンクプロファイルに対し、例えば１次色べた成分、２次色べた成分、１次色の補色成分、２次色の補色成分、墨版色成分などといった網点構造の特定構造に相当する印刷用のＣＭＹＫ色空間上の特定座標と、その特定構造に相当するプリンタ用のＣＭＹＫ色空間上の特定座標とが対応するような修正を施すものである。この特定構造維持部３２０は、本発明にいう特定構造維持部の機能の一例を示すものであり、その機能は、ハードウェア上は、プログラム部品としての特定構造維持部２２０（図８参照）を実行する、図１，図２，図３に示すパーソナルコンピュータ８０の本体装置８１に内蔵されたＣＰＵ８１１等によって担われる。
【０１０２】
本実施形態における出力デバイスは、網点構造の画像を出力するカラープリンタであるため、例えば１次色保存、２次色保存、墨版色保存などといった、網点構造の特定構造を維持させるようなカラーマッチング以外の要素がデバイスリンクプロファイルに含まれていることがあるが、これらの要素を外してデバイスリンクプロファイルの修正を行うことにより、デバイスリンクプロファイルをより一層効率良く修正することができる。また、修正が終わった修正デバイスリンクプロファイルに対して網点構造の特定構造を維持させるような修正を施すことによって、その特定構造を修正デバイスリンクプロファイルに反映させることができる。
【０１０３】
以下、本発明の実施形態をさらに具体的に説明する。尚、以下の説明において、上述した、パーソナルコンピュータ８０による印刷プロファイル、プリンタプロファイル、およびデバイスリンクプロファイルを作成する機能についての説明と重複する詳細な説明は省略する。
【０１０４】
図１０〜図１４は、本発明の色変換定義修正装置の一実施形態における色変換定義修正の第１手順を示した模式図であり、図１５は、本発明の色変換定義修正装置の一実施形態における色変換定義修正の第２手順を示した模式図である。
【０１０５】
図１０は、本発明の色変換定義修正装置の一実施形態における色変換定義修正の第１手順の第１行程を示した模式図である。
【０１０６】
まず、図４を参照して説明したように、カラーチャート４２を構成する各カラーパッチを分光測色計７０（図２参照）で測色することにより、ＣＭＹＫ４色の色空間上のＣＭＹＫ値と、Ｌ＊ａ＊ｂ＊色空間上のＬ＊ａ＊ｂ＊値との対応関係が得られ、パーソナルコンピュータ８０（図１，図２，図３参照）内に構築された、印刷プロファイルおよびプリンタプロファイルを作成するデバイスプロファイル作成機能７１０によって、デバイスプロファイル（図４に示す印刷プロファイル４００およびプリンタプロファイル５００）が作成される。
【０１０７】
図１１は、本発明の色変換定義修正装置の一実施形態における色変換定義修正の第１手順の第２行程を示した模式図である。
【０１０８】
次に、パーソナルコンピュータ８０内に構築されたプロファイル結合機能７２０によって、図１０に示すデバイスプロファイル作成機能７１０により作成された印刷プロファイル４００とプリンタプロファイル５００とを結合させた１つのデバイスリンクプロファイル６００が作成される。
【０１０９】
図１２は、本発明の色変換定義修正装置の一実施形態における色変換定義修正の第１手順の第３行程を示した模式図である。
【０１１０】
次に、パーソナルコンピュータ８０内に構築された色変換機能７３０によって、図１１に示すプロファイル結合機能７２０により作成されたデバイスリンクプロファイル６００に基づいて、図４に示す評価用のカラーチャート４３により表される印刷用のＣＭＹＫ色空間上のターゲットチャートデータ（ＣＭＹＫ）が、そのデバイスリンクプロファイル６００を用いてプリンタ用のＣＭＹＫ色空間上のプリンタ出力データ（Ｃ´Ｍ´Ｙ´Ｋ´）に変換される。ここでいう色変換機能７３０は、図９に示す色変換定義修正装置３００の第１色変換部３１２の機能を表すものである。
【０１１１】
図１３は、本発明の色変換定義修正装置の一実施形態における色変換定義修正の第１手順の第４行程を示した模式図である。
【０１１２】
次に、パーソナルコンピュータ８０内に構築された再現色算出機能７４０によって、図１２に示す色変換機能７３０により得られたプリンタ出力データ（Ｃ´Ｍ´Ｙ´Ｋ´）から、図１０に示すデバイスプロファイル作成機能７１０により作成されたプリンタプロファイル５００の逆変換、すなわちＬ＊ａ＊ｂ＊の測色データをＣＭＹＫの網％データに変換する逆変換プリンタプロファイルに基づいて、Ｌ＊ａ＊ｂ＊色空間上のプリンタ再現色（Ｌ＊´ａ＊´ｂ＊´）が算出される。ここでいう再現色算出機能７４０は、図９に示す色変換定義修正装置３００の模擬色変換部３１３が有する２つの機能のうちの１つを表すものである。
【０１１３】
図１４は、本発明の色変換定義修正装置の一実施形態における色変換定義修正の第１手順の第５行程を示した模式図である。
【０１１４】
次に、図９に示す色変換定義修正装置３００の第１測色データ取得部３１１により得られる、図４に示すカラーチャート４３により表される印刷用のＣＭＹＫ色空間上のターゲットチャートデータ（ＣＭＹＫ）に対応するＬ＊ａ＊ｂ＊色空間上のターゲットチャート測定値（Ｌ＊ａ＊ｂ＊）と、図１３に示す再現色算出機能７４０により算出されたプリンタ再現色（Ｌ＊´ａ＊´ｂ＊´）との差異に基づいて、パーソナルコンピュータ８０内に構築されたデバイスリンクプロファイル修正機能７５０によって、図１１に示すプロファイル結合機能７２０により作成されたデバイスリンクプロファイルが修正され、カラーマッチング精度の高い修正済みデバイスリンクプロファイルを得ることができる。ここでいうデバイスリンクプロファイル修正機能７５０は、図９に示す色変換定義修正装置３００のデバイスリンクプロファイル修正部３１４が有する２つの機能のうちの１つを表すものである。
【０１１５】
このようにして修正済みデバイスリンクプロファイルが求められる色変換定義修正の第１手順によれば、プリンタ出力データ（Ｃ´Ｍ´Ｙ´Ｋ´）に基づいてプリンタによって出力されるカラーチャートのカラーパッチを測色するといった長い時間を要する従来の行程による修正と同様な修正が、短時間の計算によるシミュレーションで実現される。従って、このような、パーソナルコンピュータ８０が本発明の色変換定義修正装置の一実施形態として動作する色変換定義修正装置によれば、カラーマッチング精度の高い色変換定義を効率良く修正することができる。
【０１１６】
また、図１５は、本発明の色変換定義修正装置の一実施形態における色変換定義修正の第２手順の第３行程を示した模式図である。
【０１１７】
尚、この第２手順の第１行程は図１０に示すデバイスプロファイル作成機能７１０によって実現され、この第２手順の第２行程は図１３に示す再現色算出機能７４０によって実現されるので、第２手順の第１行程および第２行程は図１０，図１３を参照して説明する。
【０１１８】
まず、本発明の色変換定義修正装置の一実施形態における色変換定義修正の第２手順の第１行程として、図４を参照して説明したように、カラーチャート４２を構成する各カラーパッチを分光測色計７０（図２参照）で測色することにより、ＣＭＹＫ４色の色空間上のＣＭＹＫ値と、Ｌ＊ａ＊ｂ＊色空間上のＬ＊ａ＊ｂ＊値との対応関係が得られ、パーソナルコンピュータ８０（図１，図２，図３参照）内に構築された、印刷プロファイルおよびプリンタプロファイルを作成するデバイスプロファイル作成機能７１０（図１０参照）によって、デバイスプロファイル（ここでは図４に示す印刷プロファイル４００）が作成される。
【０１１９】
次に、本発明の色変換定義修正装置の一実施形態における色変換定義修正の第２手順の第２行程として、パーソナルコンピュータ８０内に構築された再現色算出機能７４０（図１３参照）によって、図４に示す評価用のカラーチャート４３により表される印刷用のＣＭＹＫ色空間上のターゲットチャートデータ（ＣＭＹＫ）から、図１０に示すデバイスプロファイル作成機能７１０により作成された印刷プロファイル４００に基づいて、Ｌ＊ａ＊ｂ＊色空間上の印刷再現色（Ｌ＊´ａ＊´ｂ＊´）が算出される。ここでいう再現色算出機能７４０は、図９に示す色変換定義修正装置３００の模擬色変換部３１３が有する２つの機能のうちの１つを表すものである。
【０１２０】
次に、図１５に示す、本発明の色変換定義修正装置の一実施形態における色変換定義修正の第２手順の第３行程として、図９に示す色変換定義修正装置３００の第１測色データ取得部３１１により得られる、図４に示すカラーチャート４３により表される印刷用のＣＭＹＫ色空間上のターゲットチャートデータ（ＣＭＹＫ）に対応するＬ＊ａ＊ｂ＊色空間上のターゲットチャート測定値（Ｌ＊ａ＊ｂ＊）と、図１３に示す再現色算出機能７４０により算出された印刷再現色（Ｌ＊´ａ＊´ｂ＊´）との差異に基づいて、パーソナルコンピュータ８０内に構築されたデバイスプロファイル修正機能８１０によって、図１０に示すデバイスプロファイル作成機能７１０により作成された印刷プロファイルが修正され、修正済み印刷プロファイルを得ることができる。ここでいうデバイスプロファイル修正機能８１０は、図９に示す色変換定義修正装置３００のデバイスリンクプロファイル修正部３１４が有する２つの機能のうちの１つを表すものである。
【０１２１】
この色変換定義修正の第２手順によって得られる印刷プロファイルは精度の高いものであるため、この修正された印刷プロファイルに基づいてデバイスリンクプロファイルを効率良く修正することができ、その結果、カラーマッチング精度の高い修正済みデバイスリンクプロファイルを得ることができる。
【０１２２】
尚、本実施形態の説明では、本発明にいう「出力デバイス」の一例として「網点構造の画像を出力するカラープリンタ」を挙げたが、本発明にいう「出力デバイス」は、例えば「電子写真方式のカラープリンタ」であってもよく、「インクジェット方式のカラープリンタ」であってもよく、「変調されたレーザ光で印画紙を露光してその印画紙を現像する方式のプリンタ」であってもよく、そのプリント方式の如何を問うものではない。さらには、本発明にいう「出力デバイス」としては、プリンタに限定されるものではなく、例えば、「表示画面上に画像を表示出力するＣＲＴディスプレイ装置」、「プラズマディスプレイ装置」などといった画像表示装置であってもよい。
【０１２３】
また、本実施形態は、ＣＭＹＫ色空間とＬ＊ａ＊ｂ＊色空間との間の変換を取り扱うデバイスリンクプロファイルの修正に関するものであるが、本発明は、それに限らず、ＲＧＢ色空間とＸＹＺ色空間、あるいは、ＣＭＹＫ色空間あるいはＲＧＢ色空間とＬ＊ａ＊ｂ＊色空間等との間の変換を取り扱うデバイスリンクプロファイルの修正にも適用することができる。
【０１２４】
さらに、本実施形態の説明では、実用的なカラーマッチング精度を高めるために、肌色に代表される特定の重要色などといった、デバイスリンクプロファイルを作成するにあたって使用されたカラーチャートを構成するカラーパッチに含まれない色に着目した、評価用のカラーチャートを用いてデバイスリンクプロファイルを修正する例を示したが、本発明は、これに限られるものではなく、デバイスリンクプロファイルを作成するにあたって使用されたカラーチャートを用いてデバイスリンクプロファイルを修正するものであってもよい。
【０１２５】
【発明の効果】
以上説明したように、本発明によれば、色変換定義を効率良く修正することのできる色変換定義修正装置、およびコンピュータをそのような色変換定義修正装置として動作させる色変換定義修正プログラムが提供される。
【図面の簡単な説明】
【図１】本発明の一実施形態により修正されるプロファイルが採用される印刷およびプルーフ画像作成システムの全体構成図である。
【図２】図１にブロックで示す分光測色計、および本発明の色変換定義修正装置の一実施形態を構成するパーソナルコンピュータの外観斜視図である。
【図３】図２に示すパーソナルコンピュータのハードウェア構成図である。
【図４】プロファイル作成および修正の説明図である。
【図５】印刷プロファイルの概念図である。
【図６】プリンタプロファイルの概念図である。
【図７】図５に示す印刷プロファイルと図６に示すプリンタプロファイルとを結合させたデバイスリンクプロファイルの概念図である。
【図８】本発明の色変換定義修正プログラムの一実施形態を示した図である。
【図９】本発明の色変換定義修正装置の一実施形態を示す機能ブロック図である。
【図１０】本発明の色変換定義修正装置の一実施形態における色変換定義修正の第１手順の第１行程を示した模式図である。
【図１１】本発明の色変換定義修正装置の一実施形態における色変換定義修正の第１手順の第２行程を示した模式図である。
【図１２】本発明の色変換定義修正装置の一実施形態における色変換定義修正の第１手順の第３行程を示した模式図である。
【図１３】本発明の色変換定義修正装置の一実施形態における色変換定義修正の第１手順の第４行程を示した模式図である。
【図１４】本発明の色変換定義修正装置の一実施形態における色変換定義修正の第１手順の第５行程を示した模式図である。
【図１５】本発明の色変換定義修正装置の一実施形態における色変換定義修正の第２手順の第３行程を示した模式図である。
【符号の説明】
１０    カラースキャナ
１１    原稿画像
２０    ワークステーション
３０    フィルムプリンタ
４０    印刷機
４１    印刷画像
４２，４３，６２，６３，６４，９０    カラーチャート
５０    パーソナルコンピュータ
６０    プリンタ
６１    プルーフ画像
７０    分光測色計
８０    パーソナルコンピュータ
８１    本体装置
８１ａ    ＦＤ装填口
８１ｂ    ＣＤ−ＲＯＭ装填口
８１１    ＣＰＵ
８１２    主メモリ
８１３    ハードディスク装置
８１４    ＦＤドライブ
８１５    ＣＤ−ＲＯＭドライブ
８１６    Ｉ／Ｏインタフェース
８２    画像表示装置
８２ａ    表示画面
８３    キーボード
８４    マウス
８５    バス
９１    ケーブル
１００    ＦＤ
１１０    ＣＤ−ＲＯＭ
２１０    色変換定義修正プログラム
３００    色変換定義修正装置
２１１，３１１    第１測色データ取得部
２１２，３１２    第１色変換部
２１３，３１３    模擬色変換部
２１４，３１４    デバイスリンクプロファイル修正部
２１５，３１５    第２色変換部
２１６，３１６    第２測色データ取得部
２１７，３１７    デバイスリンクプロファイル再修正部
２１８，３１８    保存部
２１９，３１９    デバイスリンクプロファイル選択部
２２０，３２０    特定構造維持部
４００    印刷プロファイル
５００    プリンタプロファイル
６００    デバイスリンクプロファイル
７１０    デバイスプロファイル作成機能
７２０    プロファイル結合機能
７３０    色変換機能
７４０    再現色算出機能
７５０    デバイスリンクプロファイル修正機能
８１０    デバイスプロファイル修正機能
【図１】
2004242072.tif 000003
【図２】
2004242072.tif 000004
【図３】
2004242072.tif 000005
【図４】
2004242072.tif 000006
【図５】
2004242072.tif 000007
【図６】
2004242072.tif 000008
【図７】
2004242072.tif 000009
【図８】
2004242072.tif 000010
【図９】
2004242072.tif 000011
【図１０】
2004242072.tif 000012
【図１１】
2004242072.tif 000013
【図１２】
2004242072.tif 000014
【図１３】
2004242072.tif 000015
【図１４】
2004242072.tif 000016
【図１５】
2004242072.tif 000017